(57)【要約】【課題】バッテリポストとの接触信頼性を向上させる。【解決手段】バッテリ端子１０の基部１１には、上方へほぼ直角に曲げ起こされた立ち上がり部１３が設けられるとともに、この立ち上がり部１３からは、バッテリポストＰを取り囲むよう回曲形成されたポスト保持片１２が設けられている。立ち上がり部１３には、ボルト１５を螺合可能なナット１７が固定されており、取り付けられたボルト１５の先端面がポスト保持片１２の先端部１２ａに当接される。ポスト保持片１２とバッテリポストＰとの間に空けられた隙間１８の寸法Ａ分だけボルト１５を締め付けると、ポスト保持片１２の先端部１２ａとその反対側の端部１２ｃとでバッテリポストＰが挟圧される。【選択図】  図１
2004362884.tif 000002
【特許請求の範囲】
【請求項１】
バッテリポストを取り囲むよう回曲形成されるとともにバッテリポストとの間に所定の隙間を空けて配されるポスト保持片と、このポスト保持片をバッテリポスト側へ押し付けることでポスト保持片を変形させて両者を接触させることが可能な押し付け部材とを備えていることを特徴とするバッテリ端子。
【請求項２】
前記押し付け部材は、前記ポスト保持片に対して進退可能とされるボルトによって構成されていることを特徴とする請求項１記載のバッテリ端子。
【請求項３】
前記押し付け部材は、斜め上方から操作できるよう軸線を傾けた状態で取り付けられていることを特徴とする請求項１または請求項２記載のバッテリ端子。
【発明の詳細な説明】
【０００１】
【発明の属する技術分野】
本発明は、バッテリ端子に関する。
【０００２】
【従来の技術】
従来、自動車等に搭載されるバッテリのバッテリポストに電線を接続するのに用いるバッテリ端子の一例として下記特許文献１に記載されたものが知られている。このものは、バッテリポストを取り囲む環形をなすポスト保持部を備え、このポスト保持部の両端には、一対の脚片がそれぞれ延設されて互いに対向して配されるとともに一方の脚片には、電線に接続される電線接続部がさらに延設されている。両脚片に取り付けたボルトを締め付けると、両脚片が互いに接近するよう変位し、それに伴ってポスト保持部が縮径変形することで、バッテリポストを挟圧して接触がとられるようになっている。
【０００３】
【特許文献１】
特開平８−９８３６８号公報
【０００４】
【発明が解決しようとする課題】
このように上記バッテリ端子は、ボルトを締め付ける部分（両脚片）と、バッテリポストに接触する部分（ポスト保持部）とが別々の部位となっている。このため、ボルトを締め付けた分だけ必ずしもポスト保持部が縮径するとは限らず、ボルトの締め付け量に対するポスト保持部の縮径量の比が製品毎にばらつくおそれがあり、接触信頼性に欠けるきらいがあった。
本発明は上記のような事情に基づいて完成されたものであって、バッテリポストとの接触信頼性を向上させることを目的とする。
【０００５】
【課題を解決するための手段】
上記の目的を達成するための手段として、請求項１の発明は、バッテリポストを取り囲むよう回曲形成されるとともにバッテリポストとの間に所定の隙間を空けて配されるポスト保持片と、このポスト保持片をバッテリポスト側へ押し付けることでポスト保持片を変形させて両者を接触させることが可能な押し付け部材とを備えている構成としたところに特徴を有する。
【０００６】
請求項２の発明は、請求項１に記載のものにおいて、前記押し付け部材は、前記ポスト保持片に対して進退可能とされるボルトによって構成されているところに特徴を有する。
請求項３の発明は、請求項１または請求項２に記載のものにおいて、前記押し付け部材は、斜め上方から操作できるよう軸線を傾けた状態で取り付けられているところに特徴を有する。
【０００７】
【発明の作用及び効果】
＜請求項１の発明＞
ポスト保持片とバッテリポストとの間に空けられた隙間分だけ押し付け部材をポスト保持片に押し付けることで、バッテリポストに対してポスト保持片を確実に接触させることができ、もって接触信頼性を向上させることができる。
【０００８】
＜請求項２の発明＞
ポスト保持片に対して進退可能なボルトを押し付け部材としたから、バッテリ端子の着脱作業を容易に行うことができる。
＜請求項３の発明＞
作業スペースを確保するのが容易な斜め上方から押し付け部材を操作することができるので、作業性が良好となる。また横方向について省スペース化を図ることができる。
【０００９】
【発明の実施の形態】
以下、本発明の実施形態を添付図面に基づいて説明する。
＜第１実施形態＞
本発明の第１実施形態を図１ないし図４によって説明する。この第１実施形態では、自動車等に搭載されるバッテリ（図示せず）に設けられたバッテリポストＰに図示しない電線を接続するためのバッテリ端子１０を示す。なお上下方向については、図２及び図４を基準として説明する。
【００１０】
バッテリ端子１０は、金属板をプレス成形することで所定の形状に形成されており、図１及び図２に示すように、バッテリの上面に沿うような略平板状をなす基部１１の両端部に、バッテリポストＰに接続されるポスト保持片１２と、電線の端末に圧着接続される電線接続部（図示せず）とが設けられている。ポスト保持片１２は、基部１１の図示左側端部から立ち上げられた立ち上がり部１３に連結されている。一方、電線接続部は、基部１１における図示右側端部に連結されており、電線の芯線や被覆に対してかしめ付けられるかしめ片を前後に一対ずつ備えた構成とされる。またバッテリポストＰは、鉛を素材としており、バッテリの上面から上方へ突出する略円柱状に形成され、その高さ寸法は立ち上がり部１３及びポスト保持片１２よりも大きく設定されている。
【００１１】
立ち上がり部１３は、その板面がバッテリポストＰの周面に対向するよう基部１１の図示左側端部から上方へ向けてほぼ直角に曲げ起こされている。立ち上がり部１３は、上方から見て緩やかな弧状（弓形）をなし、手前側から奥側へ向けて図示左方へ突出して形成されている。また基部１１の左側端部は、立ち上がり部１３に沿って弧状に形成されている。立ち上がり部１３における図１に示す手前側端部には、基部１１から切り起こし形成された支持部１４が当接可能とされており、これにより立ち上がり部１３が基部１１に対して図示右側へ倒れるようにして変形するのを規制できるようになっている。
【００１２】
ポスト保持片１２は、立ち上がり部１３の左側端部からさらに左方へ延出する片持ち状に形成され、弾性変形可能とされている。ポスト保持片１２は、所定長さ左右方向に沿ってほぼ真っ直ぐに延出した後、略弧状に回曲形成され、全体としてバッテリポストＰのほぼ全周を取り囲む略環形をなしている。ポスト保持片１２のうちバッテリポストＰの周面の約３／４領域を取り囲む弧状部分の曲率は、バッテリポストＰの周面の曲率よりも小さくなっているので、ポスト保持片１２とバッテリポストＰとの間には所定の隙間１８が空けられるようになっている。ポスト保持片１２の板面は、バッテリポストＰの周面に対向して配される。ポスト保持片１２の先端部１２ａは、左右方向について基端部１２ｂとほぼ同じ位置、すなわちポスト保持片１２における立ち上がり部１３に最も近い位置に配されている。またポスト保持片１２の基端部１２ｂは、立ち上がり部１３に対して緩やかな角度（鈍角）をもって連結されているので、その連結部分には応力集中が生じ難く、高い強度が保たれている。
【００１３】
立ち上がり部１３には、ボルト１５を挿通可能なボルト挿通孔１６が開設されるとともに、そのバッテリポストＰ側の板面には、ボルト挿通孔１６を通したボルト１５が螺合可能とされるナット１７が溶接などによって固定されている。ボルト１５は、基部１１の板面に沿ってほぼ水平な姿勢で且つ図示左右方向に沿って真っ直ぐな姿勢で取り付けられるとともに、その周面に螺刻されたねじ山がナット１７のねじ溝に螺合されることで、左右に（バッテリポストＰに対して接離するように）進退可能とされる。ポスト保持片１２の先端部１２ａは、ナット１７及びボルト１５と対向する位置に配されるとともにボルト１５の先端面が当接可能とされている。そして、ボルト１５は、締め付けに伴ってバッテリポストＰの軸心へ向かって進出するとともにポスト保持片１２の先端部１２ａをバッテリポストＰ側へ押し込むことができるようになっている。このときのボルト１５のバッテリポストＰ側への進出量（押し付け量）が、バッテリポストＰとポスト保持片１２との間に空けられた隙間１８の寸法Ａ分に達すると、ポスト保持片１２は、先端部１２ａと、先端部１２ａとはバッテリポストＰの軸心を挟んだ反対側の端部１２ｃとがバッテリポストＰに対して挟圧状態で接触するようボルト１５によって押し付けられるようになっている。
【００１４】
本実施形態は以上のような構造であり、続いてその作用について説明する。電線接続部に電線を接続した状態のバッテリ端子１０をバッテリ上に載せるとともに、ポスト保持片１２の内側にバッテリポストＰを挿入する。なおボルト１５は、バッテリ端子１０をバッテリ上に載せる前後のいつの段階で取り付けるようにしても構わない。
【００１５】
このとき、ポスト保持片１２のうち先端部１２ａとは反対側の端部１２ｃをバッテリポストＰに当接させるようにバッテリ端子１０を取り付けると、ポスト保持片１２の先端部１２ａは、図１及び図２に示すように、バッテリポストＰからは所定の隙間１８を空けて離間して配される。そして、ポスト保持片１２の先端部１２ａにおけるバッテリポストＰとは反対側の板面に対してボルト１５の先端面を当接させた状態から、ボルト１５を締め付けて図示左方へ進出させると、ボルト１５によって押圧されたポスト保持片１２の先端部１２ａがバッテリポストＰ側へ接近するよう変位させられるとともにポスト保持片１２が弾性変形させられる。このとき、ポスト保持片１２のうち先端部１２ａとその反対側の端部１２ｃとの間の部分が図示手前側へ突き出すようにして変形しようとすることで生じるばね力によって、先端部１２ａが図１に示す矢線方向へ向けて滑るようにして変位（摺動）する。
【００１６】
そして、ボルト１５の進出量がポスト保持片１２の先端部１２ａとバッテリポストＰとの間の隙間１８の寸法Ａ分に達すると、図３及び図４に示すように、ポスト保持片１２の先端部１２ａがバッテリポストＰの外周面に当接するとともに、先端部１２ａとその反対側の端部１２ｃとがバッテリポストＰに対して挟圧状態で接触するようボルト１５によって押し付けられ、もってバッテリ端子１０がバッテリポストＰに対して接続される。このときポスト保持片１２の先端部１２ａは、ボルト１５とバッテリポストＰとの間で挟圧されている。このように、ボルト１５を一定量締め付けることで、バッテリ端子１０を確実にバッテリポストＰに接続することができるので、その接触信頼性を高く保つことができる。またボルト１５の締め付け量を一定に定めることでバッテリポストＰを過度に締め付けるような事態を防ぐことができる。
【００１７】
なお、バッテリ端子１０をバッテリに取り付ける際には、必ずしもポスト保持片１２の端部１２ｃをバッテリポストＰに当接させなくてもよい。すなわち、取り付け時にポスト保持片１２の端部１２ｃと先端部１２ａとが共にバッテリポストＰから離間していた場合や、先端部１２ａのみがバッテリポストＰに当接していた場合でも、隙間１８の寸法Ａ分だけボルト１５を締め付けることでポスト保持片１２が変形させられて上記と同様に先端部１２ａと端部１２ｃとがバッテリポストＰに挟圧状態で接触されるようになっている。
【００１８】
一方、メンテナンスなどの事情によって、バッテリ端子１０を取り外す場合には、ボルト１５を緩めることで、ポスト保持片１２の先端部１２ａから離間するよう図示右方へ退出させる。すると、ポスト保持片１２が復元して先端部１２ａがバッテリポストＰの外周面から離間するので、バッテリ端子１０を取り外すことができる。
【００１９】
ところで、本実施形態のバッテリ端子１０を上記とは別のバッテリに使用するときには、例えばバッテリポストＰが上記したものよりも細い場合がある。その場合でも、各図の想像線に示すように、ボルト１５の締め付け量を増加し、バッテリポストＰとポスト保持片１２との間の隙間１８の寸法Ｂ分だけボルト１５を進出させるよう締め付ければ、バッテリポストＰに確実に接触させることができる。また逆にバッテリポストＰが太い場合には、その分だけボルト１５の締め付け量を減少させればよい（図示は省略する）。
【００２０】
以上説明したように本実施形態によれば、ポスト保持片１２とバッテリポストＰとの間に空けられた隙間１８の寸法Ａ（Ｂ）分だけボルト１５を締め付けてポスト保持片１２に押し付けることで、バッテリポストＰに対してポスト保持片１２を確実に接触させることができる。従って、接触信頼性を向上させることができるとともに、ボルト１５の締め付け量を一定にできるのでバッテリポストＰを過度に締め付けるような事態を防ぐことができる。
しかも、ボルト１５は、ポスト保持片１２に対して進退可能とされているから、バッテリ端子１０の着脱作業を容易に行うことができる。
【００２１】
＜第２実施形態＞
本発明の第２実施形態を図５または図６によって説明する。第２実施形態では、ボルト１５Ａを斜め上方から締め付け操作ができるものを示す。なお、この第２実施形態では、上記した第１実施形態と同様の構造については同一符号を付すとともに重複する説明を省略する。
【００２２】
立ち上がり部１３Ａは、図５に示すように、基部１１Ａからの立ち上がり角度が約７０度とされ、バッテリポストＰＡ側へ斜めに傾いた形状に形成されている。ポスト保持片１２Ａの先端部１２ａＡについても立ち上がり部１３Ａとほぼ平行をなすようにバッテリポストＰＡ側へ斜めに傾いて形成されている。またバッテリポストＰＡの周面のうちポスト保持片１２Ａの先端部１２ａＡ側の側面についても先端部１２ａＡや立ち上がり部１３Ａとほぼ平行な傾斜面とされている。ボルト１５Ａは、立ち上がり部１３Ａが基部１１Ａに対して傾いた分だけ軸線を傾けた姿勢で取り付けられており、その頭部１５ａＡが斜め上方を向いた状態とされる。従って、ボルト１５Ａを締め付けるときには、斜め上方からボルト１５Ａの頭部１５ａＡをレンチなどの工具を用いて締め付け操作することができる。ポスト保持片１２Ａの先端部１２ａＡとバッテリポストＰＡとの間の隙間１８Ａ分だけボルト１５Ａを締め付けると、図６に示すように、ポスト保持片１２Ａが先端部１２ａＡと反対側の端部１２ｃＡとの間にバッテリポストＰＡが挟圧された状態に押し付けられて接触がとられる。
【００２３】
通常、バッテリ端子の横側には、図示しない他の機器などが配されるものの、この第２実施形態では比較的作業スペースを確保し易い斜め上方からボルト１５Ａを締め付けることができるから、作業性が良好となる。また上記した第１実施形態のようにボルト１５を水平に配した状態と比較すると、横方向についてボルト１５Ａの配置スペースを小さくすることができ、もって横方向についてバッテリ端子１０Ａを小型化することができる。
【００２４】
＜関連技術＞
続いて関連技術を図７または図８によって説明する。関連技術としては、ボルトを縦締めするタイプのバッテリ端子２０を示す。
【００２５】
バッテリポスト２９は、図７に示すように、上方へ行くほど径寸法が小さくなる円錐台型に形成されている。バッテリ端子２０の基部２１には、バッテリポスト２９を挿通する挿通孔２２が開設され、その径寸法はバッテリポスト２９の下端部とほぼ同じとされる。基部２１の図示左側端部からは、片持ち状をなすポスト接続片２３が上方へ折り返して形成されている。ポスト接続片２３には、バッテリポスト２９の上端部よりも大径となる接触孔２４が開設されている。ポスト接続片２３の先端部には、ボルト２６を挿通可能なボルト挿通孔２５が開設されている。基部２１には、同様にボルト挿通孔２７が開設されるとともにその下面側には、ボルト２６を螺合可能なナット２８が溶接により固定されている。ボルト２６は、その軸線を上下方向に沿わせた姿勢で取り付けられる。
【００２６】
ボルト２６を上方から締め付けると、その頭部によってポスト接続片２３の先端部が下方へ押圧されることで、ポスト接続片２３がその基端部側を支点として弾性変形する。ボルト２６が所定位置まで締め付けられると、図８に示すように、ポスト接続片２３が先端部を下げた斜め姿勢とされるとともに、下方へ変位した接触孔２４の孔縁がバッテリポスト２９の周面に対して接触されることで、バッテリ端子２０がバッテリポスト２９に接続される。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、ポスト保持片を略弧状に形成したものを示したが、バッテリポストを取り囲むのであれば、例えば角形に形成するようにしてもよく、その形状は任意に設定することが可能である。
【００２８】
（２）上記した実施形態では、ポスト保持片の先端部をボルトで押し付けるものを示したが、ポスト保持片のうち先端部以外の部分をボルトで押し付けるようにしても構わない。
（３）上記した実施形態では、立ち上がり部の全域を略弧状に形成したものを示したが、例えばポスト保持片との連結部分のみを略弧状に形成し、その他の部分を真っ直ぐな形状にしてもよく、そうすればポスト保持片の支持強度を上記した実施形態と同等に保つことができる。また連結部分をほぼ直角に形成したものも本発明に含まれる。
（４）上記した実施形態では、押し付け部材としてボルトを示したが、要はバッテリポストに対してポスト保持片を押し付けるという機能を発揮するのであれば、ボルト以外の部材を用いることも可能である。
【図面の簡単な説明】
【図１】本発明の第１実施形態に係るバッテリ端子とバッテリポストの平断面図
【図２】バッテリ端子とバッテリポストの部分側断面図
【図３】ボルトを締め付けた状態を示す平断面図
【図４】ボルトを締め付けた状態を示す部分側断面図
【図５】本発明の第２実施形態に係るバッテリ端子とバッテリポストの部分側断面図
【図６】ボルトを締め付けた状態を示す部分側断面図
【図７】関連技術の側断面図
【図８】ボルトを締め付けた状態を示す側断面図
【符号の説明】
１０，１０Ａ…バッテリ端子
１２，１２Ａ…ポスト保持片
１５，１５Ａ…ボルト（押し付け部材）
１８，１８Ａ…隙間
Ｐ，ＰＡ…バッテリポスト
【図１】
2004362884.tif 000003
【図２】
2004362884.tif 000004
【図３】
2004362884.tif 000005
【図４】
2004362884.tif 000006
【図５】
2004362884.tif 000007
【図６】
2004362884.tif 000008
【図７】
2004362884.tif 000009
【図８】
2004362884.tif 000010